(57)【特許請求の範囲】
【請求項１】
少なくとも３個以上あるケーブル導入口にそれぞれケーブルを導入し、並列した状態でケーブルを把持するケーブル把持金具であって、
列の両外側にあるケーブル導入口には横側部に開口部が形成され、かつ列の中側にあるケーブル導入口には上側に開口部が形成された基台と、
前記基台の中側にあるケーブル導入口の上側の開口部を開閉するための開閉部材と、
前記基台のケーブル導入口下側に配置されるケーブル押さえ台と、
前記基台の外側のケーブル導入口の上側に、および、基台の中側のケーブル導入口上にある開閉部材に、それぞれ配置されてケーブルを把持する把持部材と、
前記把持部材を移動調節させる調節部材と、
を備えることを特徴とするケーブル把持金具。
【請求項２】
請求項１に記載のケーブル把持金具において、
前記開閉部材は、前記基台に回動自在に軸支され、前記開閉部材を回動させて開口部を出現させることを特徴とするケーブル把持金具。
【請求項３】
請求項１に記載のケーブル把持金具において、
前記開閉部材は、前記基台に取り外し自在に構成され、前記開閉部材を離脱させて開口部を出現させることを特徴とするケーブル把持金具。
【発明の詳細な説明】
【０００１】
【発明の属する技術分野】
本発明は、光ファイバケーブルやメタルケーブルの途中を固定するケーブル把持金具に関する。
【０００２】
【従来の技術】
従来、クロージャ等においてケーブルを固定する場合、ケーブルの外周を金具で締めつけてケーブルと金具を一体にした後、その金具を固定する方法が一般的であった。
このため、同一の金具で径の異なるケーブルを固定しようとする場合は、金具と固定手段の位置関係がそのままであるとケーブルの軸心の位置がずれてしまい、配線や結線作業を行う場合に不便が生じるという問題があった。
【０００３】
そこで、ケーブルの径が変化しても常にその軸心が隔壁の挿通孔の中心と一致し、配線や結線にあたってケーブルの軸心を定位置に保つ必要がある場合に有益となる機構に関する発明がなされ、特願平１１−３５５９２９号（発明の名称：ケーブルの把持機構）として特許出願されている。さらに、当該特許出願は特開２００１−１７７９５７号として出願公開されるに至っている。
【０００４】
【発明が解決しようとする課題】
特開２００１−１７７９５７号公報により開示された発明は、ケーブルを１本ずつ把持する機構であるが、近年ではケーブルを複数本並列して把持するような場合が多くなっている。このような場合、従来技術ではケーブルを１本ずつ把持する把持機構を複数個並列して配置する構成となり、部品点数の増大、および、部品が多いことに起因する製造工程の増大など、製造原価が上昇するという問題点があった。
【０００５】
本発明は、上記問題点を解決するためになされたものであり、その目的は、１台で複数本（少なくとも３本以上）のケーブルを並列して配置できるようにし、部品点数および製造工程を低減させるようなケーブル把持金具を提供することにある。
【０００６】
【課題を解決するための手段】
上記課題を解決するために、請求項１記載の発明であるケーブル把持金具は、
少なくとも３個以上あるケーブル導入口にそれぞれケーブルを導入し、並列した状態でケーブルを把持するケーブル把持金具であって、
列の両外側にあるケーブル導入口には横側部に開口部が形成され、かつ列の中側にあるケーブル導入口には上側に開口部が形成された基台と、
前記基台の中側にあるケーブル導入口の上側の開口部を開閉するための開閉部材と、
前記基台のケーブル導入口下側に配置されるケーブル押さえ台と、
前記基台の外側のケーブル導入口の上側に、および、基台の中側のケーブル導入口上にある開閉部材に、それぞれ配置されてケーブルを把持する把持部材と、
前記把持部材を移動調節させる調節部材と、
を備えることを特徴とする。
【０００７】
また、請求項２記載の発明であるケーブル把持金具は、
請求項１に記載のケーブル把持金具において、
前記開閉部材は、前記基台に回動自在に軸支され、前記開閉部材を回動させて開口部を出現させることを特徴とする。
【０００８】
また、請求項３記載の発明であるケーブル把持金具は、
請求項１に記載のケーブル把持金具において、
前記開閉部材は、前記基台に取り外し自在に構成され、前記開閉部材を離脱させて開口部を出現させることを特徴とする。
【０００９】
【発明の実施の形態】
続いて、本発明の一実施形態であるケーブル把持金具について図を参照しつつ以下に説明する。図１は本実施形態のケーブル把持金具の開状態を示す外観斜視図、図２は本実施形態のケーブル把持金具のケーブル把持状態を示す外観斜視図、図３は本実施形態のケーブル把持金具によるケーブル把持を説明する説明図である。
【００１０】
図１で示すように、ケーブル把持金具１００は、基台１０、開閉部材  ２０、ケーブル押さえ台３１，３２，３３、把持部材４１，４２，４３、調節部材５１，５２，５３、固定ねじ６０を備えている。
このケーブル把持金具１００は、図２でも示すように、メタルケーブルや光ファイバケーブルなどのケーブル２００を把持することとなる。
【００１１】
基台１０は、さらにケーブル導入口１１，１２，１３（図２参照）を備え、これらケーブル導入口１１，１２，１３にはそれぞれ開口部１１ａ，１２ａ，１３ａ（図１参照）が設けられている。
列の右外側にあるケーブル導入口１１には横側部に開口部１１ａが形成されており、図示しないがこの開口部１１ａからケーブルを導入することができる（図１参照）。
また、列の中側にあるケーブル導入口１２には上部に開口部１２ａが形成されており、この開口部１２ａからケーブルを導入することができる（図１，図２，図３参照）。
さらにまた、列の左外側にあるケーブル導入口１３には横側部に開口部１３ａが形成されており、図示しないがこの開口部１３ａからケーブルを導入することができる。
【００１２】
開閉部材２０は、一端が回動自在に軸支されて開閉できるようなされており、図１で示すような開いた状態、および、図２で示すような閉じた状態となる。先に説明した中側にあるケーブル導入口１２の開口部１２ａは、図１で示すように開閉部材２０を開くことで出現するものである。
図２で示すように、この開閉部材２０を閉じた状態で、基台１０に設けられたねじ穴に、固定ねじ６０を螺挿締結することで、開閉部材２０は基台１０に固定されるようになされている。
【００１３】
ケーブル押さえ台３１，３２，３３は、それぞれケーブル導入口１１，１２，１３の下側に配置されている（図１参照）。これらケーブル押さえ台３１，３２，３３の上側表面は鬼目状（多数の突起が設けられている）に構成されており、これらケーブル押さえ台３１，３２，３３にケーブルが配置された場合にケーブルの外周被覆に食い付くようになされている。
【００１４】
把持部材４１，４３は、図１で示すように、それぞれ、基台１０のケーブル導入口１１，１３の上側に配置されている。
また、把持部材４２は、ケーブル導入口１２の開閉部材２０に配置されている。図２で示すように開閉部材２０を閉じた場合、基台１０のケーブル導入口１２の上側に位置することとなる。
これら把持部材４１，４２，４３の下側表面は鬼目状に構成されており、ケーブルの外周被覆に食い付くようになされている。
【００１５】
調節部材５１，５３は、それぞれ基台１０のケーブル導入口１１，１３の上側に配置され、把持部材４１，４３を上下方向に移動調節できるようになされている。
また、調節部材５２は、ケーブル導入口１２の開閉部材２０に配置され、把持部材４２を上下方向（ここでいう上下とは、例えば、図２で示すように開閉部材２０を閉じた状態における上下方向をいう）に移動調節できるようになされている。
これら調節部材５１，５２，５３は、例えば、頂上の六角穴に六角レンチを挿入して回動させることで把持部材４１，４２，４３を上下方向に移動調節させるというものである。
【００１６】
続いて、本実施形態によるケーブルの把持について説明する。
図１，図２で示すように、右の外側にあるケーブル導入口１１にケーブル（図示せず）を導入する場合、横側部の開口部１１ａを通じてケーブル導入口１１内にケーブルを導入し、このケーブルをケーブル押さえ台３１の上に配置する。そして、調節部材５１を操作して把持部材４１を下側に下降させる。最終的にケーブル押さえ台３１と把持部材４１とでケーブルを挟持し、鬼目面による食い付きと相俟ってケーブルを強固に把持することとなる。
なお、このような把持は、図１，図２で示すように、左の外側にあるケーブル導入口１３、横側部の開口部１３ａ、ケーブル押さえ台３３、把持部材４３、調節部材５３を用い同様に把持することができる。
【００１７】
また、中側にあるケーブル導入口１２にケーブルを配置する場合、図３で示すように、矢印ａ方向に開閉部材２０を開け、ケーブル２００を矢印ｂ方向に降下させてケーブルをケーブル押さえ台３２の上に配置する。そして、開閉部材２０を閉じて固定ねじ６０で固定し（図２参照）、調節部材５２を操作して把持部材４２を下側に下降させ、最終的にケーブル押さえ台３２と把持部材４２とでケーブルを挟持し、ケーブルを把持することとなる。
本実施形態はこのようなものである。
【００１８】
なお、本実実施形態では、中側にあるケーブル導入口１２は１個であるものとして説明したが、１個に限定する趣旨ではなく、複数個のケーブル導入口を配置することが可能である。この場合、ケーブル導入口の上部にそれぞれ開口部を形成し、それぞれの開口部におのおの開閉部材を設けるようにしてもよい。
また、ケーブル導入口の上部にそれぞれ開口部を形成し、それぞれの開口部を一括して開閉する１個の開閉部材を設けてもよい。
これら構成は適宜選択されるものである。
【００１９】
また、本実実施形態では、開閉部材を回動自在にする場合について説明したが、これ以外にも、開閉部材を着脱自在に構成することが可能である。
これら構成も適宜選択される。
【００２０】
【発明の効果】
以上、本発明によれば、１台で複数本（少なくとも３本以上）のケーブルを並列して配置できるようにし、部品点数および製造工程を低減させるようなケーブル把持金具を提供することができる。
【図面の簡単な説明】
【図１】本発明の実施形態のケーブル把持金具の開状態を示す外観斜視図である。
【図２】本発明の実施形態のケーブル把持金具のケーブル把持状態を示す外観斜視図である。
【図３】本発明の実施形態のケーブル把持金具によるケーブル把持を説明する説明図である。
【符号の説明】
１００    ケーブル把持金具
１０    基台
１１    ケーブル導入口
１１ａ  開口部
１２    ケーブル導入口
１２ａ  開口部
１３    ケーブル導入口
１３ａ  開口部
２０    開閉部材
３１    ケーブル押さえ台
３２    ケーブル押さえ台
３３    ケーブル押さえ台
４１    把持部材
４２    把持部材
４３    把持部材
５１    調節部材
５２    調節部材
５３    調節部材
６０    固定ねじ
２００    ケーブル
【図１】
0004363805.tif 000002
【図２】
0004363805.tif 000003
【図３】
0004363805.tif 000004